(57)【要約】      （修正有）【課題】金属製エイミングボルトに近い機械的強度と樹脂製エイミングボルトに近い軽量を兼ね備えたエイミングボルトを提供する。【解決手段】エイミングボルト１の構造を、金属製の中空筒状のパイプ６と、パイプ６の外周面を覆うように被覆してエイミングボルトの外形を形成する樹脂の被覆体２を備えた構造とした。【選択図】図１
2011219035.tif 000002
【特許請求の範囲】
【請求項１】
車両用灯具の光軸調整を行うエイミング機構に用いるエイミングボルトであって、前記エイミングボルトは、金属製の中空筒状の芯材と、前記芯材の外周面を覆うように被覆して前記エイミングボルトの外形を形成する樹脂製の被覆体を備えていることを特徴とするエイミングボルト。
【請求項２】
前記芯材は、少なくとも一方の端部が塞がれていることを特徴とする請求項１に記載のエイミングボルト。
【請求項３】
前記芯材は、前記エイミングボルトを貫通し、該芯材の少なくとも一方の開口を塞ぐように呼吸フィルタが装着されていることを特徴とする請求項１に記載のエイミングボルト。
【発明の詳細な説明】
【技術分野】
【０００１】
本発明は、車両用灯具のエイミング機構に用いられるエイミングボルトに関する。
【背景技術】
【０００２】
車両用灯具の光軸調整を行うためのエイミング機構には一般的にエイミングボルトが使用され、エイミングボルトを回動することにより傾動支点を中心として車両用灯具が傾動し、それにより車両用灯具の光軸調整が行われるものである。
【０００３】
エイミングボルトには、金属製のエイミングボルトあるいは樹脂製のエイミングボルトのいずれかが使用され、金属製エイミングボルトを用いた例としては「特開２００８−２６２７９９号（特許文献１）」で提案され、合成樹脂製エイミングボルトを用いた例としては「特開２００１−２５６８０６号（特許文献２）」で提案されている。
【先行技術文献】
【特許文献】
【０００４】
【特許文献１】特開２００８−２６２７９９号公報
【特許文献２】特開２００１−２５６８０６号公報
【発明の概要】
【発明が解決しようとする課題】
【０００５】
ところで、金属製エイミングボルトは、機械的強度が強いという利点を有しているが重量的に重いという問題点も有している。一方、合成樹脂製エイミングボルトは、重量的に軽いという利点を有しているが機械的強度が弱いという問題点も有している。
【０００６】
そこで、本発明は上記問題に鑑みて創案なされたもので、その目的とするところは、金属製エイミングボルトに近い機械的強度と樹脂製エイミングボルトに近い軽量を兼ね備えたエイミングボルトを提供することにある。
【課題を解決するための手段】
【０００７】
上記課題を解決するために、本発明の請求項１に記載された発明は、車両用灯具の光軸調整を行うエイミング機構に用いるエイミングボルトであって、前記エイミングボルトは、金属製の中空筒状の芯材と、前記芯材の外周面を覆うように被覆して前記エイミングボルトの外形を形成する樹脂製の被覆体を備えていることを特徴とするものである。
【０００８】
また、本発明の請求項２に記載された発明は、請求項１において、前記芯材は、少なくとも一方の端部が塞がれていることを特徴とするものである。
【０００９】
また、本発明の請求項３に記載された発明は、請求項１において、前記芯材は、前記エイミングボルトを貫通し、該芯材の少なくとも一方の開口を塞ぐように呼吸フィルタが装着されていることを特徴とするものである。
【発明の効果】
【００１０】
本発明のエイミングボルトは、金属製の中空筒状の芯材と、芯材の外周面を覆うように被覆して前記エイミングボルトの外形を形成する樹脂製の被覆体を備え、芯材の少なくとも一方の端部を塞ぐ構造とした。
【００１１】
その結果、金属製エイミングボルトに近い機械的強度と樹脂製エイミングボルトに近い軽量を兼ね備えたエイミングボルトを実現することができた。
【００１２】
また、芯材をエイミングボルトを貫通するものとし、芯材の少なくとも一方の開口を塞ぐように呼吸フィルタを装着した。
【００１３】
その結果、金属製エイミングボルトに近い機械的強度と樹脂製エイミングボルトに近い軽量を兼ね備えたエイミングボルトを実現することができたと同時に、従来灯具のハウジングに設けられていた高価な呼吸キャップを設ける必要がなくなり、ハウジングの組み立て工数が削減できることにより車両用灯具の低価格化を実現することができた。
【図面の簡単な説明】
【００１４】
【図１】実施例１の説明図である。
【図２】実施例２の説明図である。
【図３】実施例３の説明図である。
【図４】使用例の説明図である。
【発明を実施するための形態】
【００１５】
以下、この発明の好適な実施形態を図１〜図４を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１６】
本実施形態のエイミングボルトは、軽量化のために樹脂材料を使用すると共に良好な機械的強度を確保するために一部に金属材料を使用し、さらなる軽量化のために中空部を設けた構成としている。
【実施例１】
【００１７】
エイミングボルト１の具体的な構造は図１（（ａ）は局部断面図、（ｂ）は側面図）に示すように、例えば六角ボルトを基本形状とし、被覆体２を樹脂材料で形成してボルト形状に成形し、ボルトの中心に、該ボルトの中心軸Ｘに沿って頭部３側を開口とし軸部４側を閉底とする、頭部３から軸部４の先端部近傍に至る柱状の中空孔５が設けられており、中空孔５内に両端を開口とする金属製の中空筒状のパイプ６が挿嵌されている。
【００１８】
つまり、エイミングボルト１の中心を中空部７とし、中空部７の外側に芯となる金属パイプ６が位置し、金属パイプ６の外側に樹脂の被覆体２が位置する構成となっている。
【００１９】
このように、本実施例はエイミングボルト１を、中空部７の外側に順次金属パイプ６及び樹脂被覆体２が位置する二重構造とすることにより、ボルト全体を金属材料で形成した場合に比べて被覆体２を樹脂材料で形成することにより軽量化され、ボルト全体を樹脂材料で形成した場合に比べて一部に金属製のパイプ６を使用することにより機械的強度が高められ、さらに中空部７を設けることにより軽量化の一段の向上が図られた。
【００２０】
なお、エイミングボルトの形状は上述の六角ボルトに限られるものではなく、使用環境、使用方法等に対応した形状、寸法のものが適宜設計・選択される。また、金属パイプは両端を開口とするものに限られるものではなく、一端あるいは両端を閉塞したものであっても構わない。
【実施例２】
【００２１】
図２（（ａ）は局部断面図、（ｂ）は側面図）は、エイミングボルトの実施例２を示している。本実施例のエイミングボルト１は上記実施例１と同様に、例えば六角ボルトを基本形状としており、被覆体２を樹脂材料で形成してボルト形状に成形し、ボルトの中心に、該ボルトの中心軸Ｘに沿って頭部３から軸部４を貫く柱状の貫通孔８が設けられており、貫通孔８内に両端を開口とする金属製の中空筒状のパイプ６が挿嵌されている。
【００２２】
更に、パイプ６の頭部３側の開口を塞ぐように呼吸フィルタ９が装着されている。呼吸フィルタ９は通気性を有すると共に湿気、塵埃等を阻止する機能有している。
【００２３】
つまり、エイミングボルト１の中心を貫通孔８とし、貫通孔８の外側に芯となる金属パイプ６が位置し、金属パイプ６の外側に樹脂の被覆体２が位置し、貫通孔８のボルト頭部側の開口が呼吸フィルタ９で塞がれた構成となっている。
【００２４】
このように、本実施例はエイミングボルト１を、一方の開口を呼吸フィルタ９で塞がれた貫通孔８の外側に順次金属パイプ６及び樹脂被覆体２が位置する二重構造とすることにより、ボルト全体を金属材料で形成した場合に比べて被覆体２を樹脂材料で形成することにより軽量化され、ボルト全体を樹脂材料で形成した場合に比べて一部に金属製のパイプ６を使用することにより機械的強度が高められ、さらに貫通孔９を設けることにより軽量化の一段の向上が図られた。
【００２５】
また、貫通孔８を呼吸フィルタ９で塞ぐことにより、エイミングボルト１の取り付け状態において、エイミングボルト１の頭部３が位置する空間と軸部４が位置する空間の空間同士の通気性がエイミングボルト１を介して確保されると共に、空間同士の湿気、塵埃等の流通がエイミングボルト１によって阻止される。
【００２６】
なお、エイミングボルトの形状は上述の六角ボルトに限られるものではなく、使用環境、使用方法等に対応した形状、寸法のものが適宜設計・選択される。また、呼吸フィルタは必ずしも貫通孔のボルト頭部側の開口に装着される必要はなく、軸部側の開口あるいは頭部側と軸部側の両開口に装着しても構わない。
【実施例３】
【００２７】
図３（（ａ）は局部断面図、（ｂ）は側面図）は、エイミングボルトの実施例３を示している。本実施例のエイミングボルト１は上記実施例１及び実施例２と同様、例えば六角ボルトを基本形状としており、被覆体２を樹脂材料で形成してボルト形状に成形し、ボルトの中心に、該ボルトの中心軸Ｘに沿って頭部３から軸部４を貫く柱状の貫通孔８が設けられている。
【００２８】
また、頭部３には開口を有する凹部１０が形成されており、貫通孔８が凹部１０の底部１１で連通している。そして、貫通孔８内に両端を開口とする金属製の中空筒状のパイプ６が挿嵌されている。
【００２９】
更に、エイミングボルト１の凹部１０の底部１１に呼吸フィルタ９が装着されてパイプ６の一方の開口を塞いでいる。呼吸フィルタ９は通気性を有すると共に湿気、塵埃等を阻止する機能有している。
【００３０】
つまり、エイミングボルト１の中心を貫通孔８とし、貫通孔８の外側に芯となる金属パイプ６が位置し、金属パイプ６の外側に樹脂の被覆体２が位置し、貫通孔８のボルト頭部側の開口が頭部３の凹部１０底部１１に装着された呼吸フィルタ９で塞がれた構成となっている。
【００３１】
このように、本実施例はエイミングボルト１を、一方の開口を呼吸フィルタ９で塞がれた貫通孔８の外側に順次金属パイプ６及び樹脂被覆体２が位置する二重構造とすることにより、ボルト全体を金属材料で形成した場合に比べて被覆体２を樹脂材料で形成することにより軽量化され、ボルト全体を樹脂材料で形成した場合に比べて一部に金属製のパイプ６を使用することにより機械的強度が高められ、さらに貫通孔８を設けることにより軽量化の一段の向上が図られた。
【００３２】
また、貫通孔８を呼吸フィルタ９で塞ぐことにより、エイミングボルト１の取り付け状態において、エイミングボルト１の頭部３が位置する空間と軸部４が位置する空間の空間同士の通気性がエイミングボルト１を介して確保されると共に、空間同士の湿気、塵埃等の流通がエイミングボルト１によって阻止される。
【００３３】
さらに、呼吸フィルタ９をエイミングボルト１の頭部３の凹部１０底部１１に装着することにより、エイミングボルトの取り付け作業時に作業者あるいは作業工具等に触れることがなく、装着状態を確実に確保することができる。
【００３４】
なお、エイミングボルトの形状は上述の六角ボルトに限られるものではなく、使用環境、使用方法等に対応した形状、寸法のものが適宜設計・選択される。
【００３５】
図４は、エイミングボルトを有するエイミング機構を備えた車両用灯具の一例を示す説明図である。
【００３６】
車両用灯具は２０、主に前面レンズ２１とハウジング２２の２つの部材によって灯室２３が形成されている。前面レンズ２１とハウシング２２は、ハウジング２２の一方の前面開口端部に設けられたシール溝部２４に前面レンズ２１の周端に設けられたシール脚部２５を挿入し、シール溝部２４とシール脚部２５との隙間に弾性シール材２６を充填した状態で係止されている。これにより、灯室２３内は周囲環境から密閉された密閉空間となっている。
【００３７】
灯室２３内には、光源３０と、光源３０を覆うように配置されて光源３０からの出射光を前面レンズ２１の方向に反射させるリフレクタ３１からなる灯具ユニット３２が収容され、リフレクタ３１にはねじ切り孔が設けられたフランジ３２ａ、３２ｂが取り付けられている。そして、頭部３がハウジング２２に支持されたエイミングボルト１ａ、１ｂのねじ部がフランジ３２ａ、３２ｂのねじ切り孔に螺合されている。
【００３８】
そこで、エイミングボルト１ａ、１ｂのいずれか一方あるいは両方を適宜回動することにより光源３０とリフレクタ３１からなる灯具ユニット３２が灯室２３内で傾動され、車両用灯具２０の光軸Ｚの向く方向が調整（光軸調整）される。
【００３９】
この場合、エイミングボルト１ａ、１ｂに上述の実施例１を用いると、エイミングボルトの軽量化により車両用灯具全体の軽量化が図られ、特に、四輪車よりも車体の重量が軽い二輪車に対して有効である。但し、灯室２３内と灯室２３外との通気性を確保するためにハウジング２２に呼吸キャップ等の部材を設ける必要がある。
【００４０】
一方、実施例２あるいは実施例３のエイミングボルトを用いると、実施例１のエイミングボルトを用いたと同様に、エイミングボルトの軽量化により車両用灯具全体の軽量化が図られ、特に、四輪車よりも車体の重量が軽い二輪車に対して有効である。また、ＬＥＤを光源とし、ヒートシンクなどの放熱部材などを搭載し、ＬＥＤユニットを搭載し、重量が大きくなるような四輪、二輪車向けの車両用灯具などにおいても有効である。
【００４１】
更に、エイミングボルトに呼吸フィルタが装着されているために、エイミングボルトを介して灯室２３内と灯室２３外との通気性が確保される。そのため、ハウジングに高価な呼吸キャップを設ける必要がなく、ハウジングの組み立て工数も削減することができ、車両用灯具の低価格化を実現することができる。
【符号の説明】
【００４２】
１…  エイミングボルト
１ａ…  エイミングボルト
１ｂ…  エイミングボルト
２…  被覆体
３…  頭部
４…  軸部
５…  中空孔
６…  パイプ
７…  中空部
８…  貫通孔
９…  呼吸フィルタ
１０…  凹部
１１…  底部
２０…  車両用灯具
２１…  前面レンズ
２２…  ハウジング
２３…  灯室
２４…  シール溝部
２５…  シール脚部
２６…  弾性シール材
３０…  光源
３１…  リフレクタ
３２ａ…  フランジ
３２ｂ…  フランジ
３２…  灯具ユニット
【図１】
2011219035.tif 000003
【図２】
2011219035.tif 000004
【図３】
2011219035.tif 000005
【図４】
2011219035.tif 000006